(57)【要約】【課題】外観上の見栄えがよく、しかも防犯性能も高い面格子２５の取付構造を提供することをその課題とする。【解決手段】面格子体２５をブラケット２６、２７を介して窓枠又は額縁に取り付ける面格子２５の取付構造であって、上記面格子体２５を、窓枠又は額縁の室外側端部よりも室内側の位置に設けられているもので、さらに上記ブラケット２６、２７を固着部材３４で窓枠又は額縁に取付けるとともに、固着部材３４の頭部を隠すカバー部材３８を、前記ブラケット２６、２７に逆回転防止ビスを用いて取り外し不可能に取付けた。【選択図】図２
2005273339.tif 000002
【特許請求の範囲】
【請求項１】
面格子体をブラケットを介して窓枠又は額縁に取り付ける面格子の取付構造であって、上記面格子体を、窓枠又は額縁の室外側端部よりも室内側の位置に設けられていることを特徴とする面格子の取付構造。
【請求項２】
面格子体をブラケットを介して窓枠又は額縁に取り付ける面格子の取付構造であって、上記ブラケットを固着部材で窓枠又は額縁に取付けるとともに、固着部材の頭部を隠すカバー部材を、前記ブラケットに逆回転防止ビスを用いて取り外し不可能に取付けたことを特徴とする面格子の取付構造。
【請求項３】
前記ブラケットには、前記固着部材が側方からスライド挿入可能な切欠き部が形成されていることを特徴とする請求項２記載の面格子の取付構造。
【請求項４】
前記ブラケットには、窓枠又は額縁に対して室外側から当接する当接部が形成されていることを特徴とする請求項２又は３に記載の面格子の取付構造。
【請求項５】
前記カバー部材には、前記ブラケットに対して、室外側から当接する当接部が形成されていることを特徴とする請求項２、３又は４に記載の面格子の取付構造。
【発明の詳細な説明】
【技術分野】
【０００１】
本発明は見栄えがよく防犯性も高い面格子の取付構造に関するものである。
【背景技術】
【０００２】
一般に、面格子は窓枠の屋外側に突出して設けられるものである。その場合、面格子は取付ブラケットを介して窓枠にネジ止めにより固定されている。取付ブラケットは面格子と窓枠の両方にネジ止めされるが、特に面格子側のネジは屋外側に突出している部分に取り付けられているので、ドライバで外部からネジを回すことは比較的簡単である。ネジを逆方向に回転させることにより面格子を取り外すことは特別に難しいことではない。したがって、窓開口部は面格子によって保護されるが、面格子自体を取り外してしまえば、窓開口部からの侵入は容易である。
【０００３】
また、面格子は窓枠の屋外側に突出して取り付けられるので、取付ブラケットが露出するだけでなく、見栄えもよくないという問題があった。
【０００４】
【特許文献１】特開平１０−１９６２４２号公報
【特許文献２】特開平１０−２６６７２６号公報
【発明の開示】
【発明が解決しようとする課題】
【０００５】
本発明は上記問題点を解消し、外観上の見栄えがよく、しかも防犯性能も高い面格子の取付構造を提供することをその課題とする。
【課題を解決するための手段】
【０００６】
前記課題を解決するため、本発明に係る面格子の取付構造は、面格子体をブラケットを介して窓枠又は額縁に取り付ける面格子の取付構造であって、上記面格子体を、窓枠又は額縁の室外側端部よりも室内側の位置に設けられていることを特徴とする。
【０００７】
なお、面格子体をブラケットを介して窓枠又は額縁に取り付ける面格子の取付構造であって、上記ブラケットを固着部材で窓枠又は額縁に取付けるとともに、固着部材の頭部を隠すカバー部材を、前記ブラケットに逆回転防止ビスを用いて取り外し不可能に取り付けるのが好ましい。
【０００８】
また、前記ブラケットには、前記固着部材が側方からスライド挿入可能な切欠き部が形成するのがよい。
【０００９】
さらに、前記ブラケットには、窓枠又は額縁に対して室外側から当接する当接部を形成するのが好ましい。
【００１０】
また、前記カバー部材には、前記ブラケットに対して、室外側から当接する当接部を形成するのが望ましい。
【発明の効果】
【００１１】
請求項１に係る発明によれば、面格子体は窓枠又は額縁の室外側端部よりも室内側の位置に設けられるので、窓枠又は額縁内に納まる。したがって、面格子の見苦しい出っ張りが無く、コンパクトですっきりとした見栄えの良い面格子を得ることができる。
【００１２】
請求項２に係る発明によれば、逆回転防止ビスを用いたので、面格子の取り外しが不可能となり、防犯性が向上する。
【００１３】
請求項３に係る発明によれば、固着部材は側方からスライド挿入されるので、面格子の取付けが迅速にできるとともに、固着作業が容易となる。
【００１４】
請求項４に係る発明によれば、ブラケットの当接部を窓枠又は額縁に当てれば取付け位置が決まるので、面格子の取付けが迅速にできるとともに取付けが容易となる。
【００１５】
請求項５に係る発明によれば、カバー部材の当接部をブラケットに当てれば取付け位置が決まるので、カバー部材の取付けが迅速にできるとともに取付けが容易となる。また、カバー部材の回転が防止できる。
【発明を実施するための最良の形態】
【００１６】
図１〜図３において符号Ａはサッシ枠、Ｂは額縁を示す。サッシ枠Ａは上枠１、下枠２及び左右の縦枠３を枠組みして成り、内側にはガラス障子４と網戸５が摺動自在に収納されるように形成されている。このサッシ枠Ａは通常のサッシ枠と同じ構造を有し、上枠１と下枠２と縦枠３の中間部から外方に突出する面一の第１取付縁６が四周に形成されている。上記第１取付縁６は通常の場合、直接に建屋躯体の屋外面に固定されるものである。また、屋内端には額縁状の第２取付縁７が屋内側に突出するように周設されている。屋外端にも面一の端縁８が外方に周設されている。
【００１７】
これに対し、額縁Ｂは上額縁１０、下額縁１１及び左右の両縦額縁１２を方形に組んで成るもので、サッシ枠Ａを囲繞する大きさで、かつサッシ枠Ａよりも出幅が大きくなるように形成されている。また、上額縁１０、下額縁１１及び左右の両縦額縁１２の屋内端には、内方に結合縁１３、外方に取付縁１４がそれぞれ四周が面一になるように突出形成されている。上額縁１０と縦額縁１２の中間部には顎部１５、１６が形成され、顎部１５、１６の段差面は面一になるように形成されている。
【００１８】
また、図４のように、上額縁１０と下額縁１１には中空部１７が形成されているが、各中空部１７の屋外側にはそれぞれ下方に開口するスライド溝１８が形成されている。スライド溝１８の適宜位置には溝幅を大きくする切欠き１９（図６参照）が形成されている。
【００１９】
上記サッシ枠Ａと額縁とは予め一体に組みたてられている。つまり、図２及び図３に示されるように、サッシ枠Ａと額縁Ｂとをそれぞれ方形に枠組みした後、サッシ枠Ａの外側を額縁Ｂで囲繞し、額縁Ｂの結合縁１３とサッシ枠Ａの第１取付縁６とを重合し、タッピングネジで結合して一体的に組み立てる。
【００２０】
一体に組み立てられたサッシ枠Ａと額縁Ｂとは、サッシ枠Ａが建屋躯体の開口部２０に嵌合するように配置され、額縁Ｂの取付縁１４は開口部２０の周縁材、つまりまぐさ２１と窓台２２と柱２３の各屋外面に木ネジ２４で固定される。さらに、サッシ枠Ａの第２取付縁７を開口部周縁材の内周面に固定する。これにより、サッシ枠Ａと額縁Ｂとが一体的に固定される。
【００２１】
次に、上記額縁Ｂの内側にはパネル状面格子２５が設けられている。面格子２５はパンチングパネル状に形成され、その上下部はそれぞれ上部ブラケット２６と下部ブラケット２７を介して額縁に固定されている。
【００２２】
図５に示されるように、上部ブラケット２６はＺ字形に形成され、中央部の固定片２８ａの左右両側には、Ｕ字形の切欠き部２９（図７参照）が形成されている。下部ブラケット２７は下額縁１１の屋外側の端部に嵌合可能な外形を備え、下額縁１１の上部傾斜面に対応する傾斜片３０の基部からＺ字形の垂直片３１が形成されている。なお、下部ブラケット２７の下部固定片２８ｂにも同様の切欠き部２９が形成されている。上下部ブラケット２６、２７には、それぞれ上下額縁１０、１１の屋外側の端部に当接する当接片３２（当接部）が形成されている。
【００２３】
上部ブラケット２６の垂下片３３と下部ブラケット２７の垂直片３１とは面格子２５の裏面に当接され、ビス止め固定されている。このビス４４は逆回転防止ビスであり、頭部のリセス形状により、締め付け方向には回転させることができるが、逆の取り外し方向には回転できないように形成されているものである。
【００２４】
次に、面格子２５に取り付けられた上部ブラケット２６と下部ブラケット２７は予め上記額縁Ｂの上額縁１０と下額縁１１の屋外端に係合し、固着部材３４によって固着される。この固着部材３４は図４に示されるように、ナット部３５とネジ部３６とスプリングワッシャー３７とからなるビスセットで、固着部材３４は、図６に示されるように、上額縁１０のスライド溝１８に形成されている切欠き１９からナット部３５を入れてスライド溝１８に沿って移動させ、図７および図８のようにネジ部３６が上下部ブラケット２６、２７の固定片２８ａ、２８ｂの切欠き部２９内に挿入するようにスライドさせた後、ネジ部３６をドライバで締めつけて固着すればよい。これにより、面格子２５は上下部ブラケット２６、２７を介して額縁の室外側端部よりも室内側の位置に固定される。
【００２５】
なお、上下部ブラケット２６、２７は図９のように、その当接片３２を上下額縁１０、１１の屋外側の端部に当接させることにより、切欠き部２９は自動的に上下額縁１０、１１のスライド溝１８に整合する位置に位置決めされるから、ネジ部３６を容易に上下部ブラケット２６、２７の切欠き部２９に挿入することができる。また、ネジ部３６は上下部ブラケット２６、２７の切欠き部２９にスライド挿入した後、ドライバで締めつければよい。したがって、固着作業が容易である。
【００２６】
次に、図１０及び図１１に示されるように、上記上下部ブラケット２６、２７の上にはさらにカバー部材３８を取り付け、上記ネジ部３６の頭部を隠すようにしている。このカバー部材３８は両側の長片３９と短片４０と中央の覆い片４１とを有する略Ｌ字形に形成され、短片４０の高さは上記ネジ部３６の頭部とスプリングワッシャー３７とを重ねた分の高さと略同じに形成されている。
【００２７】
上記カバー部材３８を取り付けるときは、各長片３９は上下部ブラケット２６、２７に対して屋外側から当接し、覆い片４１でネジ部３６の頭部を覆い、短片４０を上下部ブラケット２６、２７の固定片２８ａ、２８ｂに係合させた状態で、逆回転防止ネジ４４をカバー部材３８の覆い片４１から上下部ブラケット２６、２７の固定片２８ａ、２８ｂにねじ込んで固定すればよい。この場合、図１１のように、上記長片３９は上下部ブラケット２６、２７の屋外側端部に当接する当接部であり、長片３９を当接させると、自動的にカバー部材３８のネジ穴４２と上下部ブラケット２６、２７のネジ穴４３とが整合するように位置決めされるので、カバー部材３８の取り付けを容易かつ迅速に行なうことができる。また、カバー部材３８を上下部ブラケット２６、２７上に固定するときに、ネジを回すことによりカバー部材３８も回転方向に力を受けるが、当接部が上下部ブラケット２６、２７に当接しているから、カバー部材３８が回転することがない。
【００２８】
上記カバー部材３８を取り付けることによって、上下部ブラケット２６、２７の固定片２８ａ、２８ｂを止着した固着部材３４のネジ部３６はカバー部材３８の覆い片４１に覆われるから、ドライバなどによってネジ部３６を取り外すことはできない。また、カバー部材３８にはネジ４４の頭部が露出しているが、このネジ４４は逆回転防止ネジであるから、やはり取り外すことはできない。しかも、面格子２５自体が額縁の屋外端よりも内側に配置されているので、額縁が邪魔になって面格子２５の取り外し作業は非常に面倒である。したがって、防犯性能は非常に高い。
【００２９】
また、面格子２５は額縁Ｂの室外側端部よりも室内側の位置に設けられ、額縁Ｂ内に納まる。面格子２５が外部に直接に露出しないので、面格子２５の見苦しい出っ張りが無く、コンパクトですっきりとした見栄えの良い面格子２５を得ることができる。
【００３０】
さらに、上下部ブラケット２６、２７を固定する固着部材３４のネジ部３６は、下から上に挿通するものであるが、上下額縁１０、１１のスライド溝１８の内部に配置されたナット部３５に螺着され、上下部ブラケット２６、２７の上方に露出することはない。同様に、カバー部材３８を上下部ブラケット２６、２７に固定するためのネジ４４も上方に露出しない。したがって、外観が良好となるだけでなく、ネジによる固着部分から雨水が浸入することがなく、雨仕舞もよい。
【００３１】
なお、窓枠自体が額縁を設けたように屋外側に突出しているようなタイプのものであっても、面格子を窓枠の室外側端部よりも室内側の位置に設けることができ、この場合も外観上の見栄えのよさと高い防犯性、作業の容易性などが得られる。
【００３２】
また、上述の例は額縁を方形に組んだものであるが、額縁を窓枠の上下にのみ取り付ける場合があり、また窓枠も上下部のみを屋外側に突出する場合もある。いずれの場合にも、上述と同じ要領で面格子を取り付けることができる。
【００３３】
なお、上述の例は上下部ブラケットを固定する固着部材としてビスセットを挙げているが、固着部材は必ずしもビスセットに限られない。単なるビスでもよく、ボルトでもよい。
【００３４】
さらには、面格子体は必ずしもパンチングパネル状の面格子に限定されない。他の格子体であってもよい。
【図面の簡単な説明】
【００３５】
【図１】本発明に係る面格子の取付構造を採用した窓の正面図である。
【図２】図１のＸ−Ｘ線上の断面図である。
【図３】図１のＹ−Ｙ線上の断面図である。
【図４】固着部材の取付状態説明図である。
【図５】ブラケットの取付状態説明図である。
【図６】固着部材の取付態様説明図である。
【図７】ブラケットに対する固着部材のスライド挿入態様の説明図である。
【図８】額縁にブラケットを介して面格子を取り付ける態様の斜視図である。
【図９】額縁にブラケットを介して面格子を取り付ける態様の要部の側面図である。
【図１０】ブラケット上にカバー部材を取り付ける態様を示す斜視図である。
【図１１】ブラケット上にカバー部材を取り付けた状態を示す側面図である。
【符号の説明】
【００３６】
Ａ  窓枠
Ｂ  額縁
２５  面格子（格子体）
２６  上部ブラケット
２７  下部ブラケット
３４  固着部材
【図１】
2005273339.tif 000003
【図２】
2005273339.tif 000004
【図３】
2005273339.tif 000005
【図４】
2005273339.tif 000006
【図５】
2005273339.tif 000007
【図６】
2005273339.tif 000008
【図７】
2005273339.tif 000009
【図８】
2005273339.tif 000010
【図９】
2005273339.tif 000011
【図１０】
2005273339.tif 000012
【図１１】
2005273339.tif 000013